(57)【要約】 【課題】  上ケースの上側板部および下ケースの下側板部の接触が容易な接合装置を提供する。【解決手段】  ディスク装置の上ケースの上側板部１２２に、接合装置を構成するリブ部１２５を設ける。上ケースが取り付けられる下ケースの下側板部１３２に、リブ部１２５を係合することにより上側板部１２２を下側板部１３２に接触する方向に付勢する接合装置を構成する係合部１３６を設ける。このため、リブ部１２５と係合部１３６とを係合し、上ケースを下ケースに取り付けるだけの簡単な構成で、上側板部１２２を下側板部１３２に接触する方向に付勢することができ、上側板部１２２を下側板部１３２に容易に接触させることができる。【選択図】  図６
2005223058.tif 000002
【特許請求の範囲】
【請求項１】
取付部材により取り付けられる第１の部材と第２の部材とを含み、前記第１の部材および前記第２の部材における移動可能な各自由端近傍を互いに接触させた接合装置であって、
前記第１の部材および前記第２の部材のいずれか一方に設けられた係合部と、
前記第１の部材および前記第２の部材のいずれか他方に設けられ前記係合部に係合することにより前記第１の部材の自由端近傍および前記第２の部材の自由端近傍のうちの少なくともいずれか一方を互いに接触する方向に付勢する係止部と、
を具備したことを特徴とした接合装置。
【請求項２】
請求項１に記載の接合装置であって、
前記第１の部材および前記第２の部材の各自由端は、取付方向に対して交差する方向に移動可能に設けられている
ことを特徴とした接合装置。
【請求項３】
請求項１または請求項２に記載の接合装置であって、
前記係合部および前記係止部は、前記第１の部材および前記第２の部材の各自由端における前記取付部材にて取り付けられる位置から離間する位置に設けられている
ことを特徴とした接合装置。
【請求項４】
請求項１ないし請求項３のいずれかに記載の接合装置であって、
前記係合部および前記係止部のうちの少なくともいずれか一方は、前記係合する方向および前記接触する方向に対して傾斜する傾斜部を備えた
ことを特徴とした接合装置。
【請求項５】
取付部材により取り付けられる第１の部材と第２の部材とを含み、前記第１の部材および前記第２の部材における取付方向に対して交差する方向に移動可能な各自由端近傍を互いに接触させた接合装置であって、
前記第１の部材の自由端近傍および前記第２の部材の自由端近傍のいずれか一方に設けられた係合部と、
前記第１の部材の自由端近傍および前記第２の部材の自由端近傍のいずれか他方に設けられ前記係合部に係合する係止部と、
を具備し、
前記係合部および前記係止部のうちの少なくともいずれか一方は、前記係合する方向および前記接触する方向に対して傾斜する傾斜部を備えた
ことを特徴とした接合装置。
【請求項６】
請求項４または請求項５に記載の接合装置であって、
前記傾斜部は、前記係止部に備えられ、前記係合する方向の先端側における前記傾斜部の前記係合する方向に対する傾斜の勾配は、前記係合する方向の基端側における前記傾斜部の前記係合する方向に対する傾斜の勾配よりも急勾配に形成された
ことを特徴とした接合装置。
【請求項７】
請求項１ないし請求項６のいずれかに記載の接合部材であって、
前記係合部および前記係止部のうちの少なくともいずれか一方は、互いに係合した状態で弾性変形可能で、弾性変形による復元力により前記第１の部材の自由端近傍および前記第２の部材の自由端近傍を互いに接触する方向に付勢する
ことを特徴とした接合装置。
【請求項８】
請求項１ないし請求項７のいずれかに記載の接合装置であって、
前記係合部および前記係止部のうちの少なくともいずれか一方は、前記第１の部材および前記第２の部材のうちの少なくともいずれか一方の自由端縁に設けられた
ことを特徴とした接合装置。
【請求項９】
請求項１ないし請求項８のいずれかに記載の接合装置であって、
前記係止部は、前記係合する方向の先端が自由端となる舌片状に切り起こし形成された
ことを特徴とした接合装置。
【請求項１０】
請求項９に記載の接合装置であって、
前記係合部は、開口部を有し、前記係止部を前記開口部に挿入して、この開口部の開口縁に接触させた状態で係合する
ことを特徴とした接合装置。
【請求項１１】
請求項１０に記載の接合装置であって、
前記係合部は、軸方向が前記取付方向と略平行な略筒状に形成された
ことを特徴とした接合装置。
【請求項１２】
請求項１ないし請求項１１のいずれかに記載の接合装置であって、
前記第１の部材は、少なくとも一面が開口された第１のケースであり、
前記第２の部材は、前記第１のケースに開口された少なくとも前記一面を閉塞する第２のケースであり、
前記第１の部材および前記第２の部材は、少なくとも前記一面を閉塞する状態に前記取付部材にて取り付けられた際に、振動する振動機器を収納する振動機器収納空間を略区画形成する
ことを特徴とした接合装置。
【請求項１３】
請求項１ないし請求項１２のいずれかに記載の接合装置であって、
前記第１の部材は、少なくとも一面が開口され導電性を有する第１のケースであり、
前記第２の部材は、前記第１のケースに開口された少なくとも前記一面を閉塞し導電性を有する第２のケースであり、
前記第１の部材および前記第２の部材は、少なくとも前記一面を閉塞する状態に前記取付部材にて取り付けられた際に、電子機器を収納する電子機器収納空間を略区画形成する
ことを特徴とした接合装置。
【請求項１４】
請求項１３に記載の接合装置であって、
前記第１の部材および前記第２の部材のいずれか一方は、前記電子機器収納空間に収納される前記電子機器が導通可能であり、
前記第１の部材および前記第２の部材のいずれか他方は、接地可能である
ことを特徴とした接合装置。
【発明の詳細な説明】
【技術分野】
【０００１】
本発明は、取付部材により取り付けられる第１の部材と第２の部材とを備えた接合装置及びこの接合装置を備えたディスク装置に関する。
【背景技術】
【０００２】
従来、例えばＤＶＤ（Digital Versatile Disk）やＣＤ（Compact Disc）などの光ディスクを再生あるいは記録・再生するディスク装置が広く利用されている。このディスク装置としては、例えば図１および図２（Ａ），（Ｂ）に示すような構成が知られている。
【０００３】
この図１、図２（Ａ），（Ｂ）に示すディスク装置８００は、金属製のケース体８１０を有している。このケース体８１０は、下面および前面が２面にわたって開口する上ケース８２０と、この上ケース８２０の下面を閉塞する下ケース８３０と、上ケース８２０の前面を閉塞する化粧板８４０とを有している。
【０００４】
そして、上ケース８２０は、長方形平板状の天板部８２１と、天板部８２１の長手方向の両側縁に略垂直に折曲形成された上側板部８２２と、天板部８２１の長手方向の一端縁に上側板部８２２と同方向に略垂直に折曲形成された図示しない上端板部とにて、下面および前面を開口して形成されている。この上ケース８２０の上側板部８２２の下端縁８２２Ａには、複数箇所、例えば２箇所内方に向けて略直角に切り起こし形成され図示しないねじ孔が穿設された取付片部８２３が設けられている。また、これら取付片部８２３の間には、舌片状に切り起こし形成されたリブ部８２５が設けられている。このリブ部８２５は、略矩形板状に形成されている。また、このリブ部８２５は、基端側に上側板部８２２に連続する連続部８２６を有している。そして、この連続部８２６の先端には、上側板部８２２とのなす角度が略直角となるように内方に向けて折曲されたフランジ部８２７が一連に折曲形成されている。また、フランジ部８２７の先端には、このフランジ部８２７とのなす角度が略直角となるように下方に向けて折曲されたリブ接触部８２８が一連に折曲形成されている。さらに、リブ接触部８２８の先端には、このリブ接触部８２８とのなす角度が鈍角となるように内方に向けて折曲された先端部８２９が一連に折曲形成されている。
【０００５】
また、下ケース８３０は、上ケース８２０の天板部８２１と略同形状の長方形平板状の底板部８３１と、底板部８３１の長手方向の両側縁に略垂直に折曲形成された下側板部８３２と、底板部８３１の長手方向の一端縁に下側板部８３２と同方向に略垂直に折曲形成された下端板部８３３とにて、上面および前面を開口して形成されている。この下ケース８３０の底板部８３１には、上側板部８２２の取付片部８２３に対応して上方に向けて膨出するように屈曲されねじ孔８３５が穿設された取付ダボ８３４が設けられている。また、下ケース８３０の下側板部８３２には、天板部８２１のリブ部８２５に対応して外方に向けて膨出するように屈曲された係合部８３６が設けられている。この係合部８３６は、左右方向略中央に内面８３８Ａが下側板部８３２の外面８３２Ａに対して略平行となる状態に設けられた係合接触部８３８を有している。また、係合部８３６は、左右方向両端側に下側板部８３２の外面８３２Ａに対して傾斜する状態に設けられ下側板部８３２と係合接触部８３８とを連結する連結部８３７を有している。そして、係合部８３６は、下ケース８３０に上ケース８２０が組み付けられた際に、係合接触部８３８の内面８３８Ａ側に上ケース８２０のリブ部８２５のリブ接触部８２８が位置するように設けられている。
【０００６】
さらに、化粧板８４０は、例えばアクリロニトリル−ブタジエン−スチレン（ＡＢＳ；Acrylonitrile-Butadiene-Styrene）などの合成樹脂製の略板状に形成されている。
【０００７】
また、ケース体８１０内には、図１に示すように、例えばＡＢＳなどの合成樹脂製の材料により軸方向の両端面を開口する略四角枠状に形成された枠体８５０が配設されている。この枠体８５０には、例えば金属製の平板枠状に形成された台座部８６１を有する本体部８６０が配設されている。台座部８６１の一縁には、回動案内部８６２が一体的に取り付けられている。そして、台座部８６１は、回動案内部８６２により、回動が案内される。さらに、台座部８６１には、回動する一縁側に位置して、例えばスピンドルモータなどの図示しない回転用電動モータと、この回転用電動モータの図示しない出力軸に一体的に設けられたターンテーブル８７１とを有するディスク回転駆動手段８７０が配設されている。また、台座部８６１には、一対のガイドシャフト８８１および移動用電動モータ８８２を備えた移動手段８８０が配設されている。
【０００８】
移動手段８８０には、再生手段８９０が配設されている。この再生手段８９０は、一対のガイドシャフト８８１に架橋する状態で保持され、図示しない光源と、この光源からの光を収束するレンズ８９１と、光ディスクＤから反射された光を検出する図示しない光センサとが配設された図示しない移動保持部８９２を有している。
【０００９】
また、枠体８５０には、例えば金属板状に形成されねじにて固定される回転子支持部材９００が設けられている。この回転子支持部材９００には、略中央にディスク回転駆動手段８７０のターンテーブル８７１に対向する位置に上方に向けて凹状の支持凹部９０１が設けられている。この支持凹部９０１の略中央には、支持孔９０２が開口形成されている。この回転子支持部材９００の支持凹部９０１には、回転子９０３が回転可能に載置されている。
【００１０】
一方、枠体８５０には、例えば合成樹脂の板状に形成され、水平方向に進退可能に移動するディスクトレイ９１０が配設されている。
【００１１】
さらに、枠体８５０には、ディスクトレイ９１０を移動させる開閉駆動手段９２０が配設されている。この開閉駆動手段９２０は、枠体８５０の長手方向と直交する方向に移動可能に配設され台座部８６１を上下方向に回動させる移動カム９２１などを有している。
【００１２】
そして、上述したディスク回転駆動手段８７０、移動手段８８０、再生手段８９０および開閉駆動手段９２０により、本体部８６０が構成される。
【００１３】
また、枠体８５０には、ケース体８１０の下ケース８３０と略同寸法の平板状に形成された回路基板９３０が取り付けられている。この回路基板９３０には、本体部８６０の動作を制御する図示しない電気部品を有した図示しない制御回路が搭載されている。また、回路基板９３０には、図示しない電源線や外部の各種電気機械との信号を送受信するケーブルなどが着脱可能に接続されるコネクタ部９３１が設けられている。このコネクタ部９３１は、ケース体８１０から外部に臨む状態で配設されている。
【００１４】
そして、ディスク装置８００を組み立てる際には、上述した各部材を配設した下ケース８３０に、リブ部８２５のリブ接触部８２８が係合部８３６の係合接触部８３８の内面８３８Ａ側に位置するように、上ケース８２０を取り付けねじにて固定する。これにより、上ケース８２０の取付方向と交差する方向に移動可能な上側板部８２２が例えば変形して外側に移動したとしても、リブ部８２５のリブ接触部８２８と係合部８３６の係合接触部８３８との接触によりリブ部８２５の外側への移動が制限され、上側板部８２２の外側への移動も抑えられる。
【発明の開示】
【発明が解決しようとする課題】
【００１５】
ところで、上述した図１および図２（Ａ），（Ｂ）に示すような従来のディスク装置８００において、上ケース８２０を下ケース８３０に取り付けた際に、例えば外観上の観点などから上側板部８２２と下側板部８３２との間の隙間Ｓの距離Ｘを０とする構成が望まれる。しかしながら、距離Ｘを０とするためには、例えばリブ部８２５や係合部８３６の寸法公差を厳密に管理する必要があり、上ケース８２０や下ケース８３０の製造が煩雑になるという問題が一例として挙げられる。
【００１６】
本発明は、このような点に鑑みて、第１の部材の自由端近傍および第２の部材の自由端近傍の接触が容易な接合装置を提供することを目的とする。
【課題を解決するための手段】
【００１７】
請求項１に記載の発明は、取付部材により取り付けられる第１の部材と第２の部材とを含み、前記第１の部材および前記第２の部材における移動可能な各自由端近傍を互いに接触させた接合装置であって、前記第１の部材および前記第２の部材のいずれか一方に設けられた係合部と、前記第１の部材および前記第２の部材のいずれか他方に設けられ前記係合部に係合することにより前記第１の部材の自由端近傍および前記第２の部材の自由端近傍のうちの少なくともいずれか一方を互いに接触する方向に付勢する係止部と、を具備したことを特徴とした接合装置である。
【００１８】
請求項５に記載の発明は、取付部材により取り付けられる第１の部材と第２の部材とを含み、前記第１の部材および前記第２の部材における取付方向に対して交差する方向に移動可能な各自由端近傍を互いに接触させた接合装置であって、前記第１の部材の自由端近傍および前記第２の部材の自由端近傍のいずれか一方に設けられた係合部と、前記第１の部材の自由端近傍および前記第２の部材の自由端近傍のいずれか他方に設けられ前記係合部に係合する係止部と、を具備し、前記係合部および前記係止部のうちの少なくともいずれか一方は、前記係合する方向および前記接触する方向に対して傾斜する傾斜部を備えたことを特徴とした接合装置である。
【発明を実施するための最良の形態】
【００１９】
〔第１の実施の形態〕
以下に、本発明に係る第１の実施の形態を図面に基づいて説明する。本実施の形態では、従来のディスク装置のケース体に本発明の接合装置を適用したディスク装置を例示して説明するがこれに限られない。図３は、ディスク装置の概略構成を示す分解斜視図である。図４は、リブ部の概略構成を示す模式図であり、（Ａ）は正面図で、（Ｂ）は断面図である。図５は、係合部の概略構成を示す模式図であり、（Ａ）は正面図で、（Ｂ）は断面図である。図６は、リブ部と係合部との係合状態を示す模式図であり、（Ａ）は正面図で、（Ｂ）は断面図である。図７は、上ケースと下ケースとの取り付け状態を示す模式図である。図８は、本実施の形態の作用効果を説明するための模式図である。なお、本実施の形態のディスク装置はケース体の構成のみが従来のディスク装置８００と異なるので、以下において、従来のディスク装置８００と同一の構成要件については、同一の符号を付しその説明を省略または簡略化する。また、従来のディスク装置８００と略同一の構成要件については、同一名称を付しその説明を簡略化する。
【００２０】
［ディスク装置の構成］
図３において、１００はディスク装置である。このディスク装置１００は、例えば金属などの導電性を有する材料にて形成されたケース体１１０を有している。このケース体１１０は、下面および前面が２面にわたって開口する第１の部材としての第１のケースである上ケース１２０と、この上ケース１２０が取り付けられ上ケース１２０の下面を閉塞する第２の部材としての第２のケースである下ケース１３０と、上ケース１２０の前面を閉塞する化粧板８４０とを有している。
【００２１】
そして、上ケース１２０は、長方形平板状の天板部１２１と、この天板部１２１の長手方向の両側縁に折曲形成された上側板部１２２と、天板部１２１の長手方向の一端縁に自由端近傍としての上側板部１２２と同方向に略垂直に折曲形成された図示しない上端板部とにて、下面および前面を開口して形成されている。この上ケース１２０の上側板部１２２の自由端としての下端縁１２２Ａには、取付片部１２３が設けられている。また、これら取付片部１２３の略中央には、舌片状に切り起こし形成された弾性変形可能な接合装置を構成する係止部としてのリブ部１２５が設けられている。なお、ここでは、リブ部１２５を上側板部１２２から切り起こし形成した構成について例示するが、これに限らず例えば上側板部１２２とは別体で形成したリブ部１２５を上側板部１２２に設ける構成などとしてもよい。また、リブ部１２５を下端縁１２２Ａに設けた構成について例示するが、これに限らず例えば上端側に設けてもよい。さらには、リブ部１２５を弾性変形しない構成などとしてもよい。このリブ部１２５は、図４（Ａ），（Ｂ）に示すように、上下方向の距離、左右方向の距離が、それぞれＬ２、Ｌ３となるような略矩形板状に形成されている。また、リブ部１２５は、天板部１２１と接続する上側板部１２２の基端から上側板部１２２の下端縁１２２Ａまでの距離がＬ１となるように形成されている。
【００２２】
このリブ部１２５は、基端側に上側板部１２２に連続する連続部１２６を有している。そして、この連続部１２６の先端には、上側板部１２２に対して傾斜するように、折曲部Ｃ１において内方に向けて折曲された傾斜部を構成するリブ接触部１２７が一連に折曲形成されている。さらに、リブ接触部１２７の先端には、上側板部１２２に対する傾斜の勾配がリブ接触部１２７よりも緩勾配となるように、折曲部Ｃ２において下方に向けて折曲された傾斜部を構成する先端部１２８が一連に折曲形成されている。ここで、リブ部１２５は、連続部１２６の基端から折曲部Ｃ１までの距離、連続部１２６の基端から折曲部Ｃ２までの距離が、それぞれＬ４、Ｌ５となるように形成されている。また、リブ部１２５は、上側板部１２２の内面１２２Ｂから折曲部Ｃ２までの距離、上側板部１２２の内面１２２Ｂから先端部１２８の外面１２８Ａ側の隅部１２８Ｂまでの距離が、それぞれＬ６、Ｌ７となるように形成されている。
【００２３】
また、下ケース１３０は、図３に示すように、上ケース１２０の天板部１２１と略同形状の長方形平板状の底板部１３１と、底板部１３１の長手方向の両側縁に略垂直に折曲形成された自由端近傍としての下側板部１３２と、底板部１３１の長手方向の一端縁に下側板部１３２と同方向に略垂直に折曲形成された下端板部１３３とにて、上面および前面を開口して形成されている。この下ケース１３０の底板部１３１には、上側板部１２２の取付片部１２３に対応して上方に向けて膨出するように屈曲されねじ孔１３５が穿設された取付ダボ１３４が設けられている。また、下ケース１３０の下側板部１３２には、上側板部１２２のリブ部１２５に対応して外方に向けて膨出するように屈曲された接合装置を構成する係合部１３６が設けられている。なお、ここでは、係合部１３６を下側板部１３２を膨出するように屈曲させて設けたが、これに限らず例えば下側板部１３２とは別体で形成した係合部１３６を下側板部１３２に設ける構成などとしてもよい。
【００２４】
この係合部１３６は、図５（Ａ），（Ｂ）に示すように、左右方向略中央に内面１３８Ａが下側板部１３２の外面１３２Ａに対して略平行となる状態に設けられた略矩形板状の係合接触部１３８を有している。また、係合部１３６は、左右方向両端側に下側板部１３２の外面１３２Ａに対して傾斜する状態に設けられ下側板部１３２と係合接触部１３８とを連結する略矩形板状の連結部１３７を有している。すなわち、係合部１３６は、係合接触部１３８および連結部１３７にて、開口部を有し、軸方向が上ケース１２０と下ケース１３０との取付方向である上下方向と略平行な略筒状に形成されている。ここで、係合部１３６は、底板部１３１の下面１３１Ａから係合接触部１３８の上端部１３８Ｂまでの距離が、Ｌ８となるように形成されている。また、係合部１３６は、下側板部１３２の外面１３２Ａから係合接触部１３８の内面１３８Ａまでの距離が、Ｌ９となるように形成されている。
【００２５】
また、ケース体１１０の内部には、図３に示すように、振動機器としての図示しない回転用電動モータなどを有するディスク回転駆動手段８７０、振動機器としての移動用電動モータ８８２などを有する移動手段８８０、再生手段８９０、開閉駆動手段９２０により構成される本体部８６０、枠体８５０、回転子支持部材９００、ディスクトレイ９１０、電子機器としての回路基板９３０などが配設されている。
【００２６】
［ディスク装置の組立動作］
次に、ディスク装置１００の組立動作について説明する。
【００２７】
まず、上ケース１２０が上述した各部材を配設した下ケース１３０に向けて、すなわち取付方向に移動されると、リブ部１２５は、先端部１２８の外面１２８Ａにおいて係合部１３６の係合接触部１３８の開口縁としての上端隅部１３８Ｃに接触する。この後、上ケース１２０がさらに取付方向に移動されると、すなわち上ケース１２０に取付方向への力が加わると、リブ部１２５には、外面１２８Ａに沿った斜め下方への分力（以下、先端部平行分力と称す）、および、外面１２８Ａに直交する斜め下方への分力（以下、先端部垂直分力と称す）が加わる。そして、リブ部１２５は、先端部平行分力により、外面１２８Ａにおいて上端隅部１３８Ｃとの接触を保った状態で斜め下方に移動するとともに、先端部垂直分力により、上端隅部１３８Ｃを押圧する。このとき、リブ部１２５には、上端隅部１３８Ｃを押圧した際に生じる上端隅部１３８Ｃからの先端部垂直分力の反力により、外面１２８Ａに直交する斜め上方への力が加わる。そして、リブ部１２５の斜め下方への移動に伴い、このリブ部１２５に結合された上側板部１２２は、下側板部１３２に接触する方向に案内される。なお、以下において、下側板部１３２に接触する方向を接触方向と適宜称して説明する。
【００２８】
この後、上ケース１２０に取付方向への力がさらに加わると、リブ部１２５は、斜め下方へ移動し、やがてリブ接触部１２７の外面１２７Ａにおいて上端隅部１３８Ｃに接触する。この後、上ケース１２０に取付方向への力が加わると、リブ部１２５には、外面１２７Ａに沿った斜め下方への分力（以下、接触部平行分力と称す）、および、外面１２７Ａに直交する斜め下方への分力（以下、接触部垂直分力）が加わる。ここで、リブ接触部１２７は、上側板部１２２に対する傾斜の勾配が先端部１２８よりも急勾配となるように設けられている。このため、上ケース１２０に加わる力が同じ場合、接触部平行分力は先端部平行分力よりも小さくなり、接触部垂直分力は先端部垂直分力よりも大きくなる。
【００２９】
そして、リブ部１２５は、接触部平行分力により、外面１２７Ａにおいて上端隅部１３８Ｃとの接触を保った状態で斜め下方に移動するとともに、接触部垂直分力により、上端隅部１３８Ｃを押圧する。このとき、リブ部１２５には、上端隅部１３８Ｃを押圧した際に生じる上端隅部１３８Ｃからの接触部垂直分力の反力が、外面１２７Ａに直交する斜め上方に加わる。ここで、上述したように、接触部直交分力が先端部直交分力よりも大きいので、リブ部１２５は、外面１２７Ａに直交する斜め上方に弾性変形する。そして、リブ部１２５の斜め下方への移動、および、リブ部１２５の斜め上方への弾性変形の復元力により、上側板部１２２は、接触方向に案内され、やがて図６（Ａ），（Ｂ）に示すように、下側板部１３２に接触する。
【００３０】
この後、上ケース１２０に取付方向への力がさらに加わると、リブ部１２５は、上端隅部１３８Ｃからの接触部垂直分力の反力によりさらに弾性変形する。また、上側板部１２２は、リブ部１２５の弾性変形の復元力により、接触方向に付勢される。そして、上ケース１２０は、図７に示すように、リブ部１２５と係合部１３６とが係合し、図示しない各部材を収納する振動機器収納空間および電子機器収納空間としての収納空間Ｋを略区画形成するように移動された後、下ケース１３０に取付部材としての図示しないねじにて固定される。このとき、上側板部１２２は、リブ部１２５の弾性変形の復元力により、接触方向に荷重Ｗ１０で付勢される。なお、この荷重Ｗ１０は、上述した各距離Ｌｎ（ｎは、１ないし９のうちのいずれか１つの自然数）の値を適宜変更することにより変更できる。そして、上ケース１２０および下ケース１３０に化粧板８４０が取り付けられ、ディスク装置１００の組立動作が終了する。
【００３１】
［第１の実施の形態の作用効果］
上述したように、上記第１の実施の形態では、ディスク装置１００の上ケース１２０の上側板部１２２に、リブ部１２５を設けている。また、上ケース１２０が取り付けられる下ケース１３０の下側板部１３２に、リブ部１２５を係合することにより上側板部１２２を接触方向に付勢する係合部１３６を設けている。このため、上ケース１２０および下ケース１３０に上述した機能を有するリブ部１２５および係合部１３６をそれぞれ設け、上ケース１２０を下ケース１３０に取り付けるだけの簡単な構成で、上側板部１２２を接触方向に付勢することができ、上側板部１２２を下側板部１３２に容易に密着させることができる。
【００３２】
また、例えば図８に示すように、上ケース１２０の天板部１２１と上側板部１２２とのなす角度Ｒが９０°以上であったとしても、上述したように上ケース１２０を下ケース１３０に取り付けるだけで、上側板部１２２を下側板部１３２に圧着させることができる。したがって、上ケース１２０を製造する際に角度Ｒを厳密に管理する必要がないので、上ケース１２０を容易に製造できる。
【００３３】
そして、リブ部１２５と係合部１３６とを係合させる際に、リブ部１２５のリブ接触部１２７に、係合部１３６からの接触部垂直分力の反力が外面１２７Ａに直交する斜め上方に加わるように、リブ部１２５および係合部１３６を構成している。すなわち、リブ接触部１２７を、リブ部１２５と係合部１３６とが係合する方向、および、上側板部１２２と下側板部１３２とが接触する方向に対して傾斜する状態に構成している。このため、リブ部１２５に連結された上側板部１２２は、リブ部１２５と係合部１３６とを係合させる際のリブ接触部１２７に加わる上述した反力により、接触方向に案内される。そして、上ケース１２０がリブ部１２５と係合部１３６とが係合する状態で下ケース１３０に取り付けられると、上側板部１２２は、接触方向に荷重Ｗ１０で付勢される。したがって、リブ部１２５のリブ接触部１２７を、リブ部１２５と係合部１３６とが係合する方向、および、上側板部１２２と下側板部１３２とが接触する方向に対して傾斜する状態に構成するだけの簡単な構成で、上側板部１２２を接触方向に付勢することができ、上側板部１２２を下側板部１３２に容易に密着させることができる。
【００３４】
さらに、リブ部１２５を弾性変形可能に設け、このリブ部１２５が弾性変形した際の反力により上側板部１２２を接触方向に付勢する構成としている。このため、リブ部１２５が弾性変形しない構成と比べて、リブ部１２５と係合部１３６とを係合させる際の仕事量を減らすことができる。したがって、上側板部１２２を下側板部１３２により容易に密着させることができる。
【００３５】
そして、リブ部１２５を上側板部１２２の下端縁１２２Ａに設けている。このため、リブ部１２５を上側板部１２２の上端側に設ける構成と比べて、リブ部１２５を設ける工程を簡略化できる。
【００３６】
リブ部１２５を舌片状に切り起こし形成しているので、上ケース１２０を例えばプレス成型する際にリブ部１２５を形成することができる。このため、リブ部１２５を設ける工程をより簡略化できる。
【００３７】
また、リブ部１２５を下側板部１３２に固定されている２つの取付片部１２３の略中央に設けている。このため、上側板部１２２において最も外側に変形し易い取付片部１２３の略中央を、リブ部１２５にて接触方向に付勢できる。したがって、上側板部１２２全体を下側板部１３２により確実に密着させることができる。
【００３８】
係合部１３６に開口部を設けている。そして、係合部１３６の開口部にリブ部１２５を挿入して上端隅部１３８Ｃにリブ部１２５を接触させた状態で、リブ部１２５を係合する構成としている。このため、係合部１３６に開口部を設けるだけの簡単な構成で、係合部１３６とリブ部１２５とを係合でき、係合部１３６を設ける工程を簡略化できる。また、リブ部１２５を係合部１３６に挿入させるだけの簡単な構成で、リブ部１２５と係合部１３６とを係合させることができるので、この両者を係合する作業をより容易にできる。
【００３９】
さらに、係合部１３６を軸方向が上ケース１２０と下ケース１３０との取付方向と略平行となるような略筒状に形成している。このため、係合部１３６を他の形状に形成する構成と比べて、係合部１３６を設ける工程をより簡略化できる。
【００４０】
そして、係合部１３６を下側板部１３２を外側に膨出するように屈曲させることにより設けているので、下ケース１３０を例えばプレス成型する際に係合部１３６を形成することができる。このため、係合部１３６を設ける工程をより簡略化できる。
【００４１】
また、リブ部１２５のリブ接触部１２７の先端に、上側板部１２２に対する傾斜がリブ接触部１２７よりも緩勾配となるような先端部１２８を設けている。すなわち、上ケース１２０に加わる力が同じ場合、リブ接触部１２７に加わる接触部平行分力よりも大きい先端部平行分力が加わるような先端部１２８を設けている。このため、リブ部１２５を先端部１２８の外面１２８Ａに沿って移動させる際に加える力を、リブ接触部１２７の外面１２７Ａに沿って移動させる際に加える力よりも小さくできる。したがって、先端部１２８を設けない構成と比べて、リブ部１２５と係合部１３６とを係合させる際の仕事量を減らすことができ、上側板部１２２を下側板部１３２により容易に圧着させることができる。
【００４２】
そして、リブ部１２５に、上側板部１２２に対する傾斜の勾配が互いに異なるリブ接触部１２７および先端部１２８を設けている。このため、上述したような部分を係合部１３６よりも容易に加工できるリブ部１２５に設けているので、上ケース１２０および下ケース１３０の製造性を向上させることができる。
【００４３】
リブ部１２５および係合部１３６にて構成される接合装置を、駆動した際に振動する例えば移動用電動モータ８８２を収納する収納空間Ｋを略区画形成する上ケース１２０および下ケース１３０に適用している。このため、上ケース１２０の上側板部１２２を下ケース１３０の下側板部１３２に荷重Ｗ１０で圧着させることができるので、例えば移動用電動モータ８８２が駆動して振動し、この振動が例えば下ケース１３０に伝達されたとしても、下側板部１３２が上ケース１２０の上側板部１２２に対してがたつくことがない。したがって、例えば移動用電動モータ８８２の駆動により発生する振動に伴う、上ケース１２０に対する下ケース１３０のがたつきを防止できる。
【００４４】
リブ部１２５および係合部１３６にて構成される接合装置を、回路基板９３０を収納し導電性を有する材料にて形成された上ケース１２０および下ケース１３０に適用している。このため、上ケース１２０の上側板部１２２を下ケース１３０の下側板部１３２に荷重Ｗ１０で圧着させることができるので、上ケース１２０と下ケース１３０との導通を確実に取ることができる。また、各距離Ｌｎの値を適宜変更することにより、下側板部１３２に加わる荷重Ｗ１０を適宜変更できるので、例えば上側板部１２２や下側板部１３２に放熱や防振などのためにメッキや塗装による被膜が形成されていたとしても、各距離Ｌｎを変更して荷重Ｗ１０を大きくすることにより上ケース１２０と下ケース１３０の導通を確実に取ることができる。したがって、十分な電磁波のシールド効果を適宜得ることができる汎用性が高いディスク装置１００を提供できる。
【００４５】
〔第２の実施の形態〕
以下に、本発明に係る第２の実施の形態を図面に基づいて説明する。本実施の形態では、第１の実施の形態のディスク装置１００のリブ部１２５および係合部１３６を他の構成としたディスク装置を例示して説明するがこれに限られない。図９は、ディスク装置のリブ部および係合部の概略構成を示す模式図であり、（Ａ）は正面図で、（Ｂ）は断面図である。なお、本実施の形態のディスク装置は、上述したようにリブ部および係合部の構成のみが第１の実施の形態のディスク装置１００と異なるので、以下において、リブ部および係合部についてのみ説明する。
【００４６】
［ディスク装置の構成］
図９（Ａ）において、１２２は図３に示すようなディスク装置２００の上ケース１２０に設けられた側板部である。この上側板部１２２の下端縁１２２Ａには、舌片状に切り起こし形成された弾性変形可能な接合装置を構成する係止部としてのリブ部２１１が設けられている。このリブ部２１１は、基端側に上側板部１２２に連続する連続部２１２を有している。そして、この連続部２１２の先端には、図９（Ｂ）に示すように、上側板部１２２とのなす角度が略直角となるように内方に向けて折曲されたフランジ部２１３が一連に折曲形成されている。さらに、フランジ部２１３の先端には、このフランジ部２１３とのなす角度が略直角となるように下方に向けて折曲されたリブ接触部２１４が一連に折曲形成されている。
【００４７】
一方で、下ケース１３０の下側板部１３２には、上側板部１２２のリブ部２１１に対応して外方に向けて膨出するように屈曲された接合装置を構成する係合部２２０が設けられている。この係合部２２０は、左右方向略中央に上端部２２２Ａが下端部２２２Ｂよりも短い略台形板状の傾斜部としての係合接触部２２２を有している。この係合接触部２２２は、上端部２２２Ａが下端部２２２Ｂよりも下側板部１３２の外方に位置するように、すなわち、内面２２２Ｃが下側板部１３２の外面１３２Ａに対して傾斜するように設けられている。また、係合部２２０は、幅方向両端側に下側板部１３２の外面１３２Ａに対して傾斜する状態に設けられ下側板部１３２と係合接触部２２２とを連結する略三角形板状の連結部２２１を有している。
【００４８】
［ディスク装置の組立動作］
次に、ディスク装置２００の組立動作について説明する。
【００４９】
まず、上ケース１２０が各部材を配設した下ケース１３０に向けて、リブ部２１１は、リブ接触部２１４の外面２１４Ａ側の下端隅部２１４Ｂにおいて、係合部２２０の係合接触部２２２の内面２２２Ｃに接触する。この後、上ケース１２０に下方への力が加わると、リブ部２１１には、内面２２２Ｃに沿った斜め下方への分力（以下、接触部平行分力と称す）、および、内面２２２Ｃに直交する斜め下方への分力（以下、接触部垂直分力と称す）が加わる。そして、リブ部２１１は、接触部平行分力により、下端隅部２１４Ｂにおいて内面２２２Ｃとの接触を保った状態で斜め下方に移動するとともに、接触部垂直分力により、内面２２２Ｃを押圧する。このとき、リブ部２１１には、内面２２２Ｃを押圧した際に生じる内面２２２Ｃからの接触部垂直分力の反力が、内面２２２Ｃに直交する斜め上方に加わる。これにより、リブ部２１１は、内面２２２Ｃに直交する斜め上方に弾性変形する。そして、リブ部２１１の斜め下方への移動、および、リブ部２１１の斜め上方への弾性変形の復元力により、上側板部１２２は、接触方向に案内され、やがて下側板部１３２に接触する。
【００５０】
この後、上ケース１２０に取付方向への力がさらに加わると、リブ部２１１は、内面２２２Ｃからの接触部垂直分力の反力によりさらに弾性変形する。また、上側板部１２２は、リブ部２１１の弾性変形の復元力により、下側板部１３２に押し付けられる。そして、上ケース１２０は、上側板部１２２が図７に示すように移動された後、下ケース１３０にねじにて固定される。このとき、上側板部１２２は、リブ部２１１の弾性変形の復元力により、接触方向に付勢される。
【００５１】
［第２の実施の形態の作用効果］
上述したように、上記第２の実施の形態では、ディスク装置２００の上ケース１２０の上側板部１２２に、リブ部２１１を設けている。また、下ケース１３０の下側板部１３２に、リブ部２１１を係合する係合部２２０を設けている。そして、リブ部２１１と係合部２２０とを係合させる際に、リブ部２１１に係合部２２０の係合接触部２２２からの接触部垂直分力の反力が斜め上方に加わるようにリブ部２１１および係合部２２０を構成している。すなわち、係合部２２０の係合接触部２２２の内面２２２Ｃを、リブ部２１１と係合部２２０とが係合する方向、および、上側板部１２２と下側板部１３２とが接触する方向に対して傾斜する状態に構成している。このため、リブ部２１１に連結された上側板部１２２は、リブ部２１１と係合部２２０とを係合させる際の係合部２２０に加わる上述した反力により、接触方向に案内される。そして、上ケース１２０がリブ部２１１と係合部２２０とが係合する状態で下ケース１３０に取り付けられると、上側板部１２２は、接触方向に付勢される。したがって、係合部２２０の係合接触部２２２の内面２２２Ｃを、リブ部２１１と係合部２２０とが係合する方向、および、上側板部１２２と下側板部１３２とが接触する方向に対して傾斜する状態に構成するだけの簡単な構成で、上側板部１２２を接触方向に付勢することができ、上側板部１２２を下側板部１３２に容易に密着させることができる。
【００５２】
また、リブ部２１１を弾性変形可能に設け、このリブ部２１１が弾性変形した際の反力により上側板部１２２を接触方向に付勢する構成としている。さらに、リブ部２１１を上側板部１２２の下端縁１２２Ａに設けている。そして、リブ部２１１を舌片状に切り起こし形成している。また、係合部２２０を下側板部１３２を外側に膨出するように屈曲させることにより設けている。さらに、リブ部２１１および係合部２２０にて構成される接合装置を、例えば移動用電動モータ８８２や回路基板９３０などを収納する収納空間Ｋを略区画形成する上ケース１２０および下ケース１３０に適用している。このため、第１の実施の形態と同様の作用効果を奏することができる。
【００５３】
［実施の形態の変形］
なお、本発明は、上述した実施の形態に限定されるものではなく、本発明の目的を達成できる範囲で以下に示される変形をも含むものである。
【００５４】
すなわち、例えば図１０（Ａ），（Ｂ）に示すように、第１の実施の形態のディスク装置１００のリブ部１２５に先端部１２８を設けない構成などとしてもよい。このような構成にしても、第１の実施の形態と同様の作用効果を奏することができる。また、先端部１２８を設けない構成にしているので、第１の実施の形態の構成と比べてリブ部１２５を容易に成型でき、上ケース１２０の製造性を向上させることができる。
【００５５】
また、第１の実施の形態のディスク装置１００を例えば図１１（Ａ），（Ｂ）に示すような構成などとしてもよい。このような構成において、上ケース１２０の上側板部１２２における下端縁１２２Ａの２箇所には、リブ部１２５が設けられている。そして、これらリブ部１２５の間には、１つの取付片部１２３が設けられている。また、取付片部１２３は、この取付片部１２３と上側板部１２２における長手方向の例えば一端側との略中央にリブ部１２５が位置する状態に設けられている。一方で、下ケース１３０の下側板部１３２には、上側板部１２２のリブ部１２５に対応して係合部１３６が設けられている。また、下ケース１３０の底板部１３１には、上側板部１２２の取付片部１２３に対応して取付ダボ１３４が設けられている。
【００５６】
このような構成にすれば、２箇所に設けられたリブ部１２５の係合部１３６への係合により、上側板部１２２を接触方向に付勢できるので、１箇所にリブ部１２５および係合部１３６を設けた構成である第１の実施の形態の構成と比べて、上側板部１２２と下側板部１３２との密着性をより高めることができる。このため、ディスク装置１００における電磁波のシールド効果などをより高めることができる。また、取付片部１２３および取付ダボ１３４を１箇所に設けた構成としているので、ねじ止めする箇所を第１の実施の形態の構成と比べて減らすことができる。このため、ディスク装置１００の組立動作をより容易にでき、ディスク装置１００の製造性を向上させることができる。さらに、リブ部１２５を、取付片部１２３と上側板部１２２における長手方向の例えば一端側との略中央に設けているので、上側板部１２２において外側に変形し易い部分をリブ部１２５にて接触方向に付勢できる。このため、上側板部１２２全体を下側板部１３２により確実に密着させることができる。
【００５７】
さらに、第１の実施の形態のディスク装置１００を例えば図１２（Ａ），（Ｂ）に示すような構成などとしてもよい。このような構成において、上ケース１２０の上側板部１２２における下端縁１２２Ａの２箇所には、図１１（Ａ），（Ｂ）の構成と同様に、リブ部１２５が設けられている。そして、これらリブ部１２５の間には、１つの図示しないねじ孔が穿設されている。また、ねじ孔は、このねじ孔と上側板部１２２における長手方向の例えば一端側との略中央にリブ部１２５が位置する状態に設けられている。一方で、下ケース１３０の下側板部１３２には、上側板部１２２のリブ部１２５に対応して係合部１３６が設けられている。また、下ケース１３０の下側板部１３２には、上側板部１２２のねじ孔に対応して図示しないねじ孔が穿設されている。
【００５８】
このような構成にすれば、図１１（Ａ），（Ｂ）の構成と同様の作用効果を奏することができる。さらに、上側板部１２２および下側板部１３２に取付片部１２３および取付ダボ１３４をそれぞれ設けずに、ねじ孔をそれぞれ穿設する構成としているので、図１１（Ａ），（Ｂ）の構成と比べて上ケース１２０および下ケース１３０を容易に成型でき、これらの製造性を向上させることができる。
【００５９】
そして、図１１（Ａ），（Ｂ）の構成、および、図１２（Ａ），（Ｂ）の構成を第２の実施の形態のディスク装置２００に適用してもよい。
【００６０】
本発明の接合装置を、電子機器が導通される構成を有する第１のケース、および、接地される構成を有する第２のケースに設け、第１のケースおよび第２のケースの各自由端近傍を互いに接触する方向に付勢する構成に適用してもよい。このような構成にすれば、第１のケースを第２のケースに取り付けるだけで電子機器の接地を取ることができ、電子機器の接地を容易に取ることができる。
【００６１】
また、本発明の接合装置は、取付部材により取り付けられる第１の部材と第２の部材との取り付け状態を、第１の部材および第２の部材における取付方向に対して交差する方向に移動可能な各自由端近傍を互いに接触する状態とするいかなる構成にも適用できる。
【００６２】
さらに、リブ部１２５，２１１および係合部１３６，２２０の構成は、上述した各構成に限らず、リブ部１２５，２１１と係合部１３６，２２０とが係合された際に、上側板部１２２を接触方向に付勢する構成であれば適宜他の構成としてもよい。
【００６３】
その他、本発明の実施の際の具体的な構造は、本発明の目的を達成できる範囲で他の構造などに適宜変更できる。また、本発明の接合装置を備えたディスク装置は、本発明の効果を享受できる。
【００６４】
［実施形態の作用効果］
上述したように、上記第１の実施の形態では、ディスク装置１００の上ケース１２０の上側板部１２２に、リブ部１２５を設けている。また、上ケース１２０が取り付けられる下ケース１３０の下側板部１３２に、リブ部１２５を係合することにより上側板部１２２を接触方向に付勢する係合部１３６を設けている。このため、上ケース１２０および下ケース１３０に上述した機能を有するリブ部１２５および係合部１３６をそれぞれ設け、上ケース１２０を下ケース１３０に取り付けるだけの簡単な構成で、上側板部１２２を接触方向に付勢することができ、上側板部１２２を下側板部１３２に容易に接触させることができる。
【００６５】
また、リブ部１２５のリブ接触部１２７を、リブ部１２５と係合部１３６とが係合する方向、および、上側板部１２２と下側板部１３２とが接触する方向に対して傾斜する状態に構成している。このため、リブ部１２５に連結された上側板部１２２は、リブ部１２５と係合部１３６とを係合させる際のリブ接触部１２７に加わる上述した反力により、接触方向に案内される。そして、上ケース１２０がリブ部１２５と係合部１３６とが係合する状態で下ケース１３０に取り付けられると、上側板部１２２は、接触方向に荷重Ｗ１０で付勢される。したがって、リブ部１２５のリブ接触部１２７を、リブ部１２５と係合部１３６とが係合する方向、および、上側板部１２２と下側板部１３２とが接触する方向に対して傾斜する状態に構成するだけの簡単な構成で、上側板部１２２を接触方向に付勢することができ、上側板部１２２を下側板部１３２に容易に接触させることができる。
【図面の簡単な説明】
【００６６】
【図１】従来のディスク装置の概略構成を示す分解斜視図である。
【図２】前記従来のディスク装置におけるリブ部および係合部の概略構成を示す模式図である。      （Ａ）：正面図      （Ｂ）：断面図
【図３】本発明の第１の実施の形態に係るディスク装置の概略構成を示す分解斜視図である。
【図４】前記第１の実施の形態におけるリブ部の概略構成を示す模式図である。      （Ａ）：正面図      （Ｂ）：断面図
【図５】前記第１の実施の形態における係合部の概略構成を示す模式図である。      （Ａ）：正面図      （Ｂ）：断面図
【図６】前記第１の実施の形態におけるリブ部と係合部との係合状態を示す模式図である。      （Ａ）：正面図      （Ｂ）：断面図
【図７】前記第１の実施の形態における上ケースと下ケースとの取り付け状態を示す模式図である。
【図８】前記第１の実施の形態の作用効果を説明するための模式図である。
【図９】本発明の第２の実施の形態に係るディスク装置のリブ部および係合部の概略構成を示す模式図である。      （Ａ）：正面図      （Ｂ）：断面図
【図１０】本発明のさらに他の実施の形態に係るディスク装置のリブ部および係合部の概略構成を示す模式図である。      （Ａ）：正面図      （Ｂ）：断面図
【図１１】本発明のさらに他の実施の形態に係るディスク装置のリブ部および係合部の概略構成を示す模式図である。      （Ａ）：正面図      （Ｂ）：下面図
【図１２】本発明のさらに他の実施の形態に係るディスク装置のリブ部および係合部の概略構成を示す模式図である。      （Ａ）：正面図      （Ｂ）：下面図
【符号の説明】
【００６７】
１２０    第１の部材としての第１のケースである上ケース
１３０    第２の部材としての第２のケースである下ケース
１２２    自由端近傍としての上側板部
１２２Ａ  自由端としての下端縁
１２５，２１１    接合装置を構成する係止部としてのリブ部
１２７    傾斜部を構成するリブ接触部
１２８    傾斜部を構成する先端部
１３２    自由端近傍としての下側板部
１３６，２２０    接合装置を構成する係合部
１３８Ｃ  開口縁としての上端隅部
２２２    傾斜部としての係合接触部
８８２    振動機器としての移動用電動モータ
９３０    電子機器としての回路基板
Ｋ    振動機器収納空間および電子機器収納空間としての収納空間
【図１】
2005223058.tif 000003
【図２】
2005223058.tif 000004
【図３】
2005223058.tif 000005
【図４】
2005223058.tif 000006
【図５】
2005223058.tif 000007
【図６】
2005223058.tif 000008
【図７】
2005223058.tif 000009
【図８】
2005223058.tif 000010
【図９】
2005223058.tif 000011
【図１０】
2005223058.tif 000012
【図１１】
2005223058.tif 000013
【図１２】
2005223058.tif 000014